(57)【要約】      （修正有）【課題】簡単な構成で、効率よくかつ低コストで有害物質等の外部への拡散を抑止しつつ被処理物を爆破処理することのできる爆破処理方法を提供する。【解決手段】被処理物１０を爆破する内側爆薬２０を、被処理物１０の周囲に配置する内側爆薬配置工程と、内側爆薬２０よりも大きな爆速を有する外側爆薬を内蔵する索状爆発体３０を内側爆薬２０の外側となる位置に配置する外側爆薬配置工程と、起爆装置５０を用いて前記索状爆発体３０を起爆させ、当該索状爆発体３０内の外側爆薬の爆轟により前記内側爆薬２０を起爆させて、当該内側爆薬２０の爆轟によって前記被処理物１０を爆破処理する爆破工程とを実施する。前記外側爆薬配置工程にて、前記外側爆薬を含み一方向に延びる形状を有する索状爆発体３０を、前記内側爆薬２０の爆轟伝播の前記起爆装置５０から特定方向への速度が前記内側爆薬２０の爆轟速度よりも大きくなるよう配索する配索工程を実施する。【選択図】図２
2010236771.tif 000002
【特許請求の範囲】
【請求項１】
炸薬と当該炸薬を収容する外殻とを有する被処理物を爆薬の爆轟により爆破処理するための方法であって、
前記被処理物を爆破する内側爆薬を、前記被処理物の周囲に配置する内側爆薬配置工程と、
前記内側爆薬よりも大きな爆速を有する外側爆薬を前記内側爆薬の外側となる位置に配置する外側爆薬配置工程と、
起爆装置を用いて前記外側爆薬を起爆させ、当該外側爆薬の爆轟により前記内側爆薬を起爆させて、当該内側爆薬の爆轟によって前記被処理物を爆破処理する爆破工程とを備え、
前記外側爆薬配置工程は、前記外側爆薬を含むとともに一方向に延びる形状を有する索状爆発体を、前記外側爆薬により起爆した前記内側爆薬の爆轟伝播の前記起爆装置から特定方向への速度が前記内側爆薬の爆轟速度よりも大きくなるよう配索する配索工程を含むことを特徴とする爆破処理方法。
【請求項２】
請求項１に記載の爆破処理方法において、
前記配索工程にて、複数本の前記索状爆発体を前記内側爆薬の外側となる位置に配索し、
前記爆破工程にて、当該複数本の索状爆発体に含まれる前記外側爆薬を複数の箇所で同時に爆轟させることを特徴とする爆破処理方法。
【請求項３】
請求項２に記載の爆破処理方法において、
前記爆破工程にて、前記複数本の索状爆発体を共通の起爆装置に接続し、当該起爆装置により、前記複数本の索状爆発体に含まれる前記外側爆薬を同時に起爆させることを特徴とする爆破処理方法。
【請求項４】
請求項２に記載の爆破処理方法において、
前記配索工程にて、前記複数本の索状爆発体を所定の方向に沿うように配索し、
前記爆破工程にて、当該複数本の索状爆発体に含まれる前記外側爆薬の爆轟をそれぞれ前記所定の方向に沿って伝播させることを特徴とする爆破処理方法。
【請求項５】
請求項４に記載の爆破処理方法において、
前記配索工程にて、前記複数本の索状爆発体の少なくとも一部を、前記被処理物を挟んで互いに対向する位置に配索し、
前記爆破工程にて、前記互いに対向する索状爆発体に含まれる前記外側爆薬を同時に爆轟させることを特徴とする爆破処理方法。
【請求項６】
請求項４または５に記載の爆破処理方法において、
前記配索工程にて、前記複数本の索状爆発体を互いに等間隔となるように配索することを特徴とする爆破処理方法。
【請求項７】
請求項６に記載の爆破処理方法において、
前記内側爆薬配置工程にて、前記内側爆薬を前記被処理物をほぼ中心とする略円筒状に配置し、
前記配索工程にて、前記索状爆発体を、前記内側爆薬の中心軸方向の一方端から他方端に向けて当該内側爆薬の外周面に沿うような位置に配索するとともに、
前記爆破工程にて、前記複数本の索状爆発体を前記内側爆薬の中心軸上で共通の起爆装置に接続し、当該複数本の索状爆発体に含まれる前記外側爆薬を、前記内側爆薬の中心軸と垂直な断面において同時に爆轟させていくことを特徴とする爆破処理方法。
【請求項８】
請求項１〜７のいずれかに記載の爆破処理方法において、
前記内側爆薬配置工程にて、所定の容器内に前記被処理物を入れるとともに、当該被処理物の周囲に配置する前記内側爆薬に流動性を有するものを用い、当該流動性を有する前記内側爆薬を前記容器内の内側面と前記被処理物との間に配置することを特徴とする爆破処理方法。
【請求項９】
請求項８に記載の爆破処理方法において、
前記配索工程は、前記内側爆薬配置工程の前に予め前記容器の内側面に前記索状爆発体を配索するものであることを特徴とする爆破処理方法。
【請求項１０】
請求項１〜９のいずれかに記載の爆破処理方法において、
前記外側爆薬配置工程は、前記外側爆薬を含むとともに一方向に延びる形状をもつ索状物を所定の長さに切断することにより前記索状爆発体を形成する工程を含み、
この形成された索状爆発体を、前記配索工程にて前記内側爆薬の外側となる位置に配索することを特徴とする爆破処理方法。
【請求項１１】
請求項１〜１０のいずれかに記載の爆破処理方法を用いて前記被処理物を爆破処理するための爆破処理装置であって、
前記被処理物の外側に配置されて当該被処理物を爆破する内側爆薬と、
前記内側爆薬よりも大きな爆速を有する外側爆薬を含むとともに一方向に延びる形状をもつ索状爆発体と、
前記索状爆発体に連結されて、当該索状爆発体に含まれる前記外側爆薬を起爆させる起爆装置とを備え、
前記索状爆発体が、前記外側爆薬の爆轟により前記内側爆薬が起爆し、かつ、前記外側爆薬により起爆した前記内側爆薬の爆轟伝播の前記起爆装置から特定方向への速度が前記内側爆薬の爆轟速度よりも大きくなるように、この内側爆薬の周囲に配索されていることを特徴とする爆破処理装置。
【請求項１２】
請求項１１に記載の爆破処理装置であって、
前記索状爆発体が、前記内側爆薬の外側に所定の方向に沿って互いに等間隔となるように複数本設けられており、
当該複数の索状爆発体が共通の前記起爆装置に接続されていることを特徴とする爆破処理装置。
【請求項１３】
請求項１１または１２に記載の爆破処理装置であって、
前記被処理物を収容可能な容器を備え、
前記内側爆薬が流動性を有しており、
前記索状爆発体が当該容器の内側面に配索されているとともに、
前記流動性を有する内側爆薬が当該容器の内側面と前記被処理物との間に収容されていることを特徴とする爆破処理装置。
【発明の詳細な説明】
【技術分野】
【０００１】
本発明は、軍事用の弾薬等の爆破物を爆破処理する際に、当該爆破物の破片が外部に飛散するのを防止する爆破処理方法および爆破処理装置に関する。
【背景技術】
【０００２】
前記軍事用の弾薬（砲弾、爆弾、地雷、機雷等）の構成としては、鋼製の弾殻の内部に炸薬が設けられたものが知られている。また、前記弾殻内に人体に有害なマスタードガスやルイサイト等の化学剤が充填されたものがある。
【０００３】
そして、前記弾薬を処理するための方法としては、爆破による処理方法が知られている。この爆破による処理方法は、解体作業を要しないことから、保存状態が良好な前記兵器等のみならず、経年劣化や変形などにより解体が困難になったものの処理にも適用することができる。さらに前記のように人体に有害な化学剤を有する爆薬を処理する場合には、爆発に基づく超高温場および超高圧場の実現によって化学剤のほとんど全てを分解できるという利点がある。このような爆破処理として、例えば特許文献１に次のような方法が開発されている。
【０００４】
すなわち、特許文献１には、所定の容器内に被処理物を設置し、この被処理物の周囲にＡＮＦＯ爆薬等を配置するとともに、前記容器の周囲にＡＮＦＯ爆薬よりも高爆速のシート状爆薬を巻きつけ、このシート状爆薬の爆轟によりＡＮＦＯ爆薬を爆発させることで前記被処理物を爆破処理する方法が開示されている。この方法によれば、前記シート状爆薬の爆轟により、当該シート状爆薬の内側に設けられた前記ＡＮＦＯ爆薬の爆轟ベクトルを内側に向かせ、それに伴って本来は外向きである前記弾殻の内部の炸薬の爆轟ベクトルを内向きに変更することができる。その結果、前記炸薬の爆発により外側に飛散する弾殻の破片の速度を低減することができる。
【先行技術文献】
【特許文献】
【０００５】
【特許文献１】特開２００５−２９１５１４号公報
【発明の概要】
【発明が解決しようとする課題】
【０００６】
しかしながら、前記の爆破処理方法では、シート状爆薬をＡＮＦＯ爆薬等が収容された容器の周囲に巻きつける必要があるため、被処理物の大きさが変化し、それに伴って使用する容器の大きさが変化した場合には、いちいち、シート状爆薬の形状を変更せねばならず、また、被処理物の形状によっては、シート状爆薬を予め所定の形状に成形しておかねばならない場合がある。すなわち、前記爆破処理方法では、被処理物等の各種の形状に適合したシート状爆薬をそれぞれ準備せねばならずコストがかかってしまうとともに、準備に手間がかかるという問題がある。
【０００７】
本発明は前記の点に鑑みてなされたものであり、簡単な構成で、比較的低コストでかつ効率よく爆破処理を行うことのできる爆破処理方法を提供することを目的とする。
【課題を解決するための手段】
【０００８】
前記課題を解決するために、本発明は、炸薬と当該炸薬を収容する外殻とを有する被処理物を爆薬の爆轟により爆破処理するための方法であって、前記被処理物を爆破する内側爆薬を、前記被処理物の周囲に配置する内側爆薬配置工程と、前記内側爆薬よりも大きな爆速を有する外側爆薬を前記内側爆薬の外側となる位置に配置する外側爆薬配置工程と、起爆装置を用いて前記外側爆薬を起爆させ、当該外側爆薬の爆轟により前記内側爆薬を起爆させて、当該内側爆薬の爆轟によって前記被処理物を爆破処理する爆破工程とを備え、前記外側爆薬配置工程は、前記外側爆薬を含むとともに一方向に延びる形状を有する索状爆発体を、前記外側爆薬により起爆した前記内側爆薬の爆轟伝播の前記起爆装置から特定方向への速度が前記内側爆薬の爆轟速度よりも大きくなるよう配索する配索工程を含むことを特徴とする爆破処理方法を提供する（請求項１）。
【０００９】
この方法によれば、前記爆速の大きい外側爆薬を内側爆薬の外側に配置し、この外側爆薬により内側爆薬を起爆させるので、内側爆薬は内側爆薬内での隣接する部分からの爆轟伝播よりも先に外側爆薬から起爆させられることになり、内側爆薬の爆轟ベクトルは内向きとなる。その結果、この内側爆薬の爆轟により前記被処理物を爆破した際に、この被処理物の破片等が外側に飛散するのを抑制することが可能となる。
【００１０】
特に、本爆破処理方法では、一方向に延びる形状を有する索状爆発体を前記内側爆薬の外側に配索することで、前記外側爆薬を前記内側爆薬の外側に配置しており、前記被処理物の大きさや形状が変わっても、この索状爆発体の配索様態を変えるだけで各種の被処理物に対応することができる。すなわち、被処理物の大きさや形状が変化しても共通の索状爆発体を使用することができるので、前記外側爆薬を前記内側爆薬の外側に配置するために互いに異なる被処理物の形状にそれぞれ適合した形状を有する爆発体を予め準備する必要がなくなり爆破処理の効率を向上させることができるとともにコストを低減することが可能となる。
【００１１】
さらに、前記索状爆発体を、前記外側爆薬により起爆した前記内側爆薬の爆轟伝播の前記起爆装置から特定方向への速度が前記内側爆薬の爆轟速度よりも大きくなるよう配索することで、前記被処理物の破片等の飛散をより確実に抑制しつつ、前記内側爆薬の特定方向の爆轟伝播速度を前記外側爆薬の爆轟速度に引きずられる形で速くすることができる。
【００１２】
また本発明において、前記配索工程にて、複数本の前記索状爆発体を前記内側爆薬の外側となる位置に配索し、前記爆破工程にて、当該複数本の索状爆発体に含まれる前記外側爆薬を複数の箇所で同時に爆轟させるのが好ましい（請求項２）。
【００１３】
この方法によれば、前記外側爆薬を複数の箇所で同時に爆轟させることで、前記内側爆薬を複数の箇所で同時に起爆させることができる。その結果、複数の箇所において内側爆薬の爆轟ベクトルが同時に内向きとなるため、前記被処理物の破片の外側への飛散をより確実に抑制することが可能になる。また、前記外側爆薬を複数本設けることで、前記内側爆薬に伝播する外側爆薬の爆轟波が多くなり、内側爆薬の爆轟伝播速度を引き上げる効果が大きくなる。
【００１４】
この場合において、前記爆破工程にて、前記複数本の索状爆発体を共通の起爆装置に接続し、当該起爆装置により、前記複数本の索状爆発体に含まれる外側爆薬を同時に起爆させれば、より少ない起爆回数で爆破処理を終了させることができる。（請求項３）。
【００１５】
また本発明において、前記配索工程にて、前記複数本の索状爆発体を所定の方向に沿うように配索し、前記爆破工程にて、当該複数本の索状爆発体に含まれる前記外側爆薬の爆轟をそれぞれ前記所定の方向に沿って伝播させるのが好ましい（請求項４）。
【００１６】
このようにすれば、前記内側爆薬の爆轟を前記被処理物に沿って一方向に進ませることができ、被処理物を順次爆破していくことができるので、被処理物を効率よく処理することが可能となる。
【００１７】
また本発明において、前記配索工程にて、前記複数本の索状爆発体の少なくとも一部を、前記被処理物を挟んで互いに対向する位置に配索し、前記爆破工程にて、前記互いに対向する索状爆発体に含まれる前記外側爆薬を同時に爆轟させるのが好ましい（請求項５）。
【００１８】
このようにすれば、前記外側爆薬の爆轟により互いに対向する位置に設けられた内側爆薬を同時に起爆させることができるので、この内側爆薬の爆轟ベクトルを被処理物に向けて集中させることができる。その結果、前記被処理物を効率よく爆破処理することができるとともにこの被処理物の破片の外側への飛散をより確実に抑制することができる。
【００１９】
また本発明において、前記配索工程にて、前記複数本の索状爆発体を互いに等間隔となるように配索するのが好ましい（請求項６）。
【００２０】
このようにすれば、前記内側爆薬を均一に起爆させることができ、より少ない索状爆発体の本数で前記被処理物を効率よく爆破することが可能となる。
【００２１】
また本発明において、前記内側爆薬配置工程にて、前記内側爆薬を前記被処理物をほぼ中心とする略円筒状に配置し、前記配索工程にて、前記索状爆発体を前記内側爆薬の中心軸方向の一方端から他方端に向けて当該内側爆薬の外周面に沿うような位置に配索するとともに、前記爆破工程にて、前記複数本の索状爆発体を前記内側爆薬の中心軸上で共通の起爆装置に接続し、当該複数本の索状爆発体に含まれる前記外側爆薬を、前記内側爆薬の中心軸と垂直な断面上で同時に爆轟させていくのが好ましい（請求項７）。
【００２２】
このようにすれば、前記外側爆薬の爆轟により、前記内側爆薬のうち前記被処理物に対してほぼ等距離の位置に設けられた爆薬が順次起爆していくことになる。そのため、被処理物にその周囲に配置された内側爆薬の爆轟力を集中させることができるので、被処理物を効率よく爆破処理することができる。
【００２３】
また本発明において、前記内側爆薬配置工程にて、所定の容器内に前記被処理物を入れるとともに、当該被処理物の周囲に配置する前記内側爆薬に流動性を有するものを用い、当該流動性を有する前記内側爆薬を前記容器内の内側面と前記被処理物との間に配置するのが好ましい（請求項８）。
【００２４】
このようにすれば、前記流動性を有する内側爆薬を安定して前記被処理物の周囲に配置することができる。
【００２５】
さらに、前記配索工程は、前記内側爆薬配置工程の前に予め前記容器の内側面に前記索状爆発体を配索するものであるのが好ましい（請求項９）。
【００２６】
このようにすれば、前記流動性を有する内側爆薬と前記外側爆薬とを安定して配置することができる。また、この内側爆薬と前記索状爆発体とを直接接触させることができるので、索状爆発体に含まれる外側爆薬の爆轟波を前記内側爆薬に効率よく伝播させることができる。
【００２７】
また本発明において、前記外側爆薬配置工程は、一方向に延びる形状を有し前記外側爆薬を含む索状物を所定の長さに切断することにより前記索状爆発体を形成する工程を含み、この形成された索状爆発体を、前記配索工程にて前記内側爆薬の外側となる位置に配索するのが好ましい（請求項１０）。
【００２８】
このようにすれば、前記索状物を所定の長さに切断するだけで前記索状爆発体を形成することができ、この形成された索状爆発体を前記内側爆薬の外側となる位置に配索するだけで、内側爆薬の外側に外側爆薬を配置することができる。すなわち、被処理物の大きさや形状が変化しても前記索状物の切断する長さを変更するだけで、種々の被処理物に容易に対応することが可能となる。
【００２９】
また本発明は、前記被処理物の外側に配置されて当該被処理物を爆破する内側爆薬と、前記内側爆薬よりも大きな爆速を有する外側爆薬を含むとともに一方向に延びる形状をもつ索状爆発体と、前記索状爆発体に連結されて、当該索状爆発体に含まれる前記外側爆薬を起爆させる起爆装置とを備え、前記索状爆発体が、前記外側爆薬の爆轟により前記内側爆薬が起爆し、かつ、前記外側爆薬により起爆した前記内側爆薬の爆轟伝播の前記起爆装置から特定方向への速度が前記内側爆薬の爆轟速度よりも大きくなるように、この内側爆薬の周囲に配索されていることを特徴とする爆破処理装置を提供する（請求項１１）。
【００３０】
このような装置では、内側爆薬よりも大きな爆速を有する外側爆薬を含むとともに一方向に延びる形状を有する索状爆発体が内側爆薬の周囲に配索されるという簡単な構造で、当該被処理物の破片等が外部に飛散するのを抑制しつつ多様な形状の被処理物に容易に対応することが可能となり、爆破処理の効率を向上させることができる。
【００３１】
また前記爆破処理装置において、前記索状爆発体が、前記内側爆薬の外側に所定の方向に沿って互いに等間隔となるように複数本設けられており、当該複数の索状爆発体が共通の前記起爆装置に接続されているのが好ましい（請求項１２）。
【００３２】
このようにすれば、より少ない数の起爆装置で複数本の索状爆発体を起爆させることができるとともに、索状爆発体に含まれる外側爆薬の爆轟により前記内側爆薬を均等に、かつ、所定の方向に沿って順次爆轟させることができるので、内側爆薬の爆轟力を効率よく被処理物に加えることができる。
【００３３】
また前記爆破処理装置において、前記被処理物を収容可能な容器を備え、前記内側爆薬が流動性を有しており、前記索状爆発体が当該容器の内側面に配索されているとともに、前記流動性を有する内側爆薬が当該容器の内側面と前記被処理物との間に収容されているのが好ましい（請求項１３）。
【００３４】
このようにすれば、流動性を有する内側爆薬と索状爆発体とを安定して所定の位置に配置させることができる。また、内側爆薬と索状爆発体とを直接接触させることができるので、索状爆発体に含まれる外側爆薬の爆轟波を内側爆薬に効率よく伝播させることが可能となる。
【発明の効果】
【００３５】
以上のように、本発明によれば、コストを抑制しつつ効率よく爆破処理を行うことが可能となる。
【図面の簡単な説明】
【００３６】
【図１】本発明に係る爆破処理方法により爆破処理される被処理物の例を示す断面図である。
【図２】本発明に係る爆破処理方法に用いる爆破処理装置に図１に示す被処理物を搭載した状態の概略斜視図である。
【図３】図２に示す状態の縦断面図である。
【図４】図２に示す爆破処理装置の横断面図である。
【図５】図２に示す爆破処理装置に用いられる索状爆発体の一例を示す説明図である。
【図６】本発明に係る爆破処理方法に用いられる爆破処理装置の他の実施形態を示す概略斜視図である。
【発明を実施するための形態】
【００３７】
以下、図面を参照しつつ、本発明に係る爆破処理方法の実施形態について説明する。図１は、本爆破処理方法により爆破処理する被処理物の一例であり、化学兵器である化学爆弾の断面図を示したものである。また、図２は本爆破処理方法にて使用する爆破処理装置の斜視図であり、図３は図２における爆破処理装置の縦断面図であり、図４は爆破処理装置の横断面図である。
【００３８】
前記被処理物の一例である化学爆弾１０は、図１に示すように、鋼製の弾殻１１と、炸薬筒１３とから構成されており、この弾殻１１および炸薬筒１３の軸方向に延びるような形状を有している。
【００３９】
前記炸薬筒１３には、ピクリン酸やＴＮＴ等からなる炸薬１２が収容されている。また、前記弾殻１１と炸薬筒１３との間には、化学剤１４が収容されている。そして、この化学爆弾１０は、前記炸薬１２が図示しない信管等により起爆されることで爆発するのに伴って、この爆発により前記弾殻１１が破壊され、当該弾殻１１の破片とともに前記化学剤１４が周囲に飛散するよう構成されている。
【００４０】
本爆破処理方法は、前記のような化学爆弾１０を爆破処理して無害化するための方法である。この爆破処理方法では、図２等に示すように、内側爆薬２０と、複数の索状爆発体３０と、容器４０と、電気雷管（起爆装置）５０とを有する爆破処理装置１を用いて爆破処理を行う。
【００４１】
ここで、前記内側爆薬２０は、爆轟することで前記化学爆弾１０を爆破する爆薬である。また、前記索状爆発体３０は、前記内側爆薬２０を起爆するための外側爆薬３４を含み一方向に延びる形状を有するものである。また、前記容器４０とは、前記化学爆弾１０、前記内側爆薬２０および前記索状爆発体３０を収容するためのものである。また、前記電気雷管５０とは、前記外側爆薬３４を起爆するためのものである。各要素についての詳細は後述する。
【００４２】
前記爆破処理方法は、次の各工程を含む。
【００４３】
１）外側爆薬配置工程
この工程は、前記内側爆薬２０の外側となる位置に外側爆薬３４を配置する工程である。この工程は、さらに以下の工程を含む。
【００４４】
１−１）索状爆発体形成工程
この工程は、前記索状爆発体３０を形成する工程である。
【００４５】
ここで、前記索状爆発体３０は、前記のように、前記内側爆薬２０を起爆するための外側爆薬３４を有するものであり、本実施形態では、心薬をＰＥＴＮとし、これに被覆を施したひも状の導爆線を用いている。すなわち、前記索状爆発体３０は、図５に示すように、一方向に延びるプラスティック等からなる外筒３２と、この外筒３２の内側に収容されたＰＥＴＮからなる外側爆薬３４とを有している。このように構成された索状爆発体３０の爆速は７ｋｍ／ｓ程度である。
【００４６】
そして、この工程では、予め準備しておいた長尺な前記ひも状の導爆線を前記容器４０の大きさおよび形状に合わせて切断し、複数本の索状爆発体３０を形成する。本実施形態では、前記導爆線から同じ長さを有する８本の索状爆発体３０を形成する。
【００４７】
１−２）配索工程
この工程は、前記内側爆薬２０の外側となる位置に索状爆発体３０を配索する工程である。
【００４８】
この工程では、図２に示すように、前記８本の索状爆発体３０を略円筒状の容器４０の内側面上に、この容器４０の中心軸と平行になるように、かつ、互いに等間隔となるように配索する。このとき、前記８本の索状爆発体３０は、前記容器４０の中心軸に対して、それぞれ所定の索状爆発体３０と互いに軸対象となる位置に配索されることになる。そして、このように容器４０の内側面上に配索した前記索状爆発体３０を前記容器４０の中心軸上で一まとめにする。
【００４９】
前記容器４０は、その内側に後述する内側爆薬２０を充填した際に、この内側爆薬２０の形状を保形できるものであればよく、たとえば硬質樹脂からなるケースのように定形性を有するものであってもよいし、柔軟な袋体からなるものでもよい。
【００５０】
２）内側爆薬配置工程
この工程は、前記化学爆弾１０の周囲に前記内側爆薬２０を配置する工程である。
【００５１】
この工程では、まず、前記容器４０のほぼ中央に、化学爆弾１０をその軸線と前記容器４０の中心軸とが一致するように収容する。このとき、前記８本の索状爆発体３０は、この化学爆弾１０を挟んで、それぞれ所定の索状爆発体３０と互いに対向する位置に配索されている。
【００５２】
次に、この容器４０の前記化学爆弾１０とこの容器４０の内側面との間に前記内側爆薬２０を流し込み、この内側爆薬２０を前記化学爆弾１０の周囲に配置する。このとき、流し込まれた内側爆薬２０は、容器４０の形状と同等の形状（ここでは略円筒状）に保形される。
【００５３】
ここで、前記内側爆薬２０は、前記のように、爆轟して前記化学爆弾１０を爆破するための爆薬である。この内側爆薬２０は、前記外側爆薬３４よりも爆速の小さいものであればどのような爆薬でもよいが、粉体や流動体のように流動性を有するもの、例えば、エマルジョン爆薬やスラリー爆薬およびＡＮＦＯ爆薬を用いるのがよい。ここで、エマルジョン爆薬やスラリー爆薬の爆速は５ｋｍ／ｓ程度であり、ＡＮＦＯ爆薬の爆速は３ｋｍ／ｓ程度である。従って、前記外側爆薬３４の爆速の方が、この内側爆薬２０の爆速に比べて十分に大きな爆速となる。そのため、次の爆破工程において前記外側爆薬３４および内側爆薬２０が起爆した際には、内側爆薬２０の爆轟が後述する電気雷管５０から前記索状爆発体３０に沿った方向すなわち前記容器４０の中心軸に沿った方向へ伝播する速度の方が、前記内側爆薬２０の爆轟速度よりも大きくなる。
【００５４】
３）爆破工程
この工程は、前記索状爆発体３０に含まれる外側爆薬３４を起爆させ、この外側爆薬３４の爆轟により前記内側爆薬２０を起爆させて、この内側爆薬２０の爆轟力により前記化学爆弾１０を爆破処理する工程である。
【００５５】
この工程では、まず、前記各索状爆発体３０に共通の電気雷管５０を接続する。具体的には、前記内側爆薬２０の中心軸線上で一まとめにした前記索状爆発体３０の束に電気雷管５０を接続する。このとき、前記索状爆発体３０の、電気雷管５０との接続点すなわち各外側爆薬３４の起爆点から前記内側爆薬２０の外周面までの距離が等しくなるように、前記電気雷管５０を接続する。
【００５６】
次に、前記電気雷管５０を発破母線６０を介して図示しない発破器に接続する。
【００５７】
その後、この発破器を操作して、電気雷管５０により前記複数本の索状爆発体３０に含まれる外側爆薬３４を全て同時に起爆させる。そして、この外側爆薬３４の爆轟により内側爆薬２０を起爆させることで、この内側爆薬２０の爆轟により化学爆弾１０を爆破処理する。
【００５８】
具体的には、外側爆薬３４の爆轟は、まず、径方向外側に向けて伝播し、その後、内側爆薬２０の外周面を内側爆薬２０の中心軸と平行に、その一方端から他方端に向けて伝播していく。ここで、この外側爆薬３４を含む各索状爆発体３０は、前記のように、外側爆薬３４の起爆点から前記内側爆薬２０の外周面までの距離が等しくなるように前記電気雷管５０に接続されているので、各索状爆発体３０に含まれる外側爆薬３４の爆轟波は、内側爆薬２０の外側において、径方向外側に向けて同心円上にそれぞれ伝播した後、互いに平行に内側爆薬２０の外周面上を伝播していく。
【００５９】
前記外側爆薬３４の爆轟波は、当該外側爆薬３４の近傍に設けられた内側爆薬２０に伝播する。そして、この内側爆薬２０が爆轟を開始する。この内側爆薬２０の爆轟伝播は、内側爆薬２０がその外周から前記外側爆薬３４によって起爆されること、また、前記外側爆薬３４の爆速の方が内側爆薬２０の爆速よりも大きいことから、この外側爆薬３４の爆轟に引きずられていく。
【００６０】
また、前記のように外側爆薬３４は互いに平行に内側爆薬２０の外周面上を伝播していく。そのため、この内側爆薬２０は、前記内側爆薬２０の中心軸と垂直な断面において、その外周部分が同時に起爆していくことになる。ここで、本実施形態では、図２等に示すように、外側爆薬３４を含む索状爆発体３０を内側爆薬２０の外周面上に間欠的に配索しているが、その間隔が適当に設定されているので、前記内側爆薬２０は、前記被処理物１０の周囲において、その外周部分が全周にわたってほぼ同時に起爆することになる。前記索状爆発体３０は、例えば、隣接する索状爆発体３０同士の間隔が前記内側爆薬２０の径方向の厚みと同程度以下となるように配索されるが好ましい。
【００６１】
そして、前記内側爆薬２０は、前記化学爆弾１０をほぼ中心とする円筒状に保形されている。従って、前記のように内側爆薬２０のうち、その中心軸と垂直な断面における外周部分が同時に起爆すると、化学爆弾１０には、その周囲に設けられた内側爆薬２０の爆轟力が集中的に加えられることになる。
【００６２】
このようにして、内側爆薬２０の爆轟力を受けた化学爆弾１０は、その内部に設けられた前記炸薬１２の爆轟を伴いながら前記弾殻１１が破壊され、前記化学剤１４が超高温高圧に晒されることで分解処理される。
【００６３】
ここで、内側爆薬２０の爆轟波を受けて、化学爆弾１０の内部に設けられた炸薬１２も起爆するが、この化学爆弾１０の弾殻１１等の破片は、前記内側爆薬２０の爆轟より外側から押さえつけられる形となる。従って、この化学爆弾１０は、前記弾殻１１等の破片の外部への飛散速度が低速に抑えられた状態で処理されることになる。
【００６４】
次に、他の形状を有する化学爆弾１０をさらに爆破処理する場合も、共通の索状爆発体を用いることが可能である。すなわち、前記導爆線をこの化学爆弾１０に合った長さに切断するだけで、他の形状を有する化学爆弾１０の形状に合った索状爆発体３０を準備することが可能となる。
【００６５】
以上のように、本爆破処理方法によれば、前記爆速の大きい外側爆薬３４を内側爆薬２０の外側に配置し、この外側爆薬３４により内側爆薬２０を起爆させることで、前記化学爆弾１０の破片等の外側への飛散を抑制することができる。
【００６６】
特に、この方法は、前記外側爆薬３４を含み一方向に延びる形状を有する索状爆発体３０を前記内側爆薬２０の外側に配索することで前記外側爆薬３４を前記内側爆薬２０の外側に配置するものであるので、化学爆弾１０の大きさや形状の変化に対して容易に対応することが可能となる。すなわち、化学爆弾１０の大きさや形状が変化しても共通の索状爆発体３０を使用することができるので、前記外側爆薬３４を前記内側爆薬２０の外側に配置するために互いに異なる化学爆弾１０の形状にそれぞれ適合した形状を有する爆発体を予め準備する必要がなくなり、爆破処理の効率を向上させることができるとともにコストを低減することが可能となる。
【００６７】
また、前記のように、内側爆薬２０の外側に複数の索状爆発体３０を配索するようにすれば、前記外側爆薬３４を複数の箇所で同時に爆轟させることができるので、前記化学爆弾１０の破片の外部への飛散を複数の方向から押さえ込むことができ、この破片等の飛散をより確実に抑制することが可能となる。
【００６８】
また、前記のように、複数本の索状爆発体３０に含まれる外側爆薬を共通の電気雷管５０を用いて同時に起爆させれば、１回の起爆回数で前記内側爆薬２０をより均一に爆轟させることが可能となる。
【００６９】
また、前記のように、複数本の索状爆発体３０を所定の方向に沿うように配索し、当該複数本の索状爆発体３０に含まれる前記外側爆薬３４をそれぞれ所定の方向に沿って伝播させれば、化学爆弾１０をこの伝播方向に沿って順次爆破していくことができ、化学爆弾１０の爆破処理を効率よく行うことが可能となる。
【００７０】
また、前記のように、複数本の索状爆発体３０を、化学爆弾１０を挟んで互いに対向する位置に配索し、この互いに対向する索状爆発体３０に含まれる前記外側爆薬３４を同時に爆轟させれば、この外側爆薬３４により起爆される内側爆薬２０の爆轟による衝撃力を化学爆弾１０に向けて集中させることができ、効率よく爆破処理を行うことができるとともに化学爆弾１０の破片の外側への飛散をより確実に抑制することができる。
【００７１】
また、前記のように、複数本の索状爆発体３０を互いに等間隔となるように配索すれば、前記内側爆薬２０を均一に起爆させることができ、より少ない索状爆発体３０の本数で化学爆弾１０を爆破することが可能となる。
【００７２】
また、前記のように、前記内側爆薬２０を化学爆弾１０をほぼ中心とする略円筒状に配置し、索状爆発体３０を内側爆薬２０の中心軸方向の一方端から他方端に向けて当該内側爆薬２０の外周面に沿うような位置に配索するとともに、複数本の索状爆発体３０に含まれる前記外側爆薬３４を、前記内側爆薬２０の中心軸と垂直な断面上で同時に爆轟させていけば、前記化学爆弾１０に対してほぼ等距離の位置に設けられた内側爆薬２０が順次起爆していくことになる。そのため、化学爆弾１０にその周囲に配置された内側爆薬２０の爆轟力を集中させることができるので、化学爆弾１０を効率よく爆破処理することができる。
【００７３】
ここで、前記実施形態では、前記内側爆薬２０の周囲に８本の索状爆発体３０を配索する場合について示したが、この索状爆発体３０の本数は前記に限定されない。
【００７４】
また、前記実施形態では、前記索状爆発体３０として外側爆薬３４（ＰＥＴＮ）を芯薬としそれをプラスティック等の外筒３２で被覆した導爆線を用いた場合について示したが、外側爆薬３４や外筒３２は前記に限らない。さらに、索状爆発体３０自身の構造も前記に限らず、例えば、コンポジションＣ−４をひも状に成形したものや、ＰＥＴＮ等の爆薬が練り込まれたシート状の爆発体をテープ状に形成したもの等を用いてもよい。また、前記内側爆薬２０の種類も前記に限らない。
【００７５】
また、前記実施形態では、容器４０を円筒状とした場合について示したが、容器４０の形状はこれに限らない。また、容器４０を設けず、内側爆薬２０として可塑性を有するものを用い、この内側爆薬２０を化学爆弾１０の周囲に固定させ、この内側爆薬２０の外周に直接索状爆発体３０を配索するようにしてもよい。また、内側爆薬２０を複数の袋に詰め、当該外内側爆薬２０が詰め込まれた袋を化学爆弾１０の周囲に積載するようにし、これらの袋の周囲に前記外側爆薬３４を配索するようにしてもよい。
【００７６】
また、前記外側爆薬３４の配索様態は、前記に限らず、例えば図６に示すように、前記内側爆薬２０の外側に斜めに配索してもよい。
【００７７】
また、前記爆破処理方法で処理対象となる被処理物は、前記のような化学爆弾１０に限らない。すなわち、前記化学爆弾１０に設けられる炸薬の種類や化学剤の種類等は前記に限らず、本爆破処理方法は、例えば、ＴＮＴ、ピクリン酸、ＲＤＸ等の爆薬や、マスタード、ルイサイド等のびらん剤、ＤＣ、ＤＡ等のくしゃみ剤、ホスゲン、サリン、青酸等の化学剤を有する爆弾の爆破処理に適用することができる。また、この爆破処理方法は、化学爆弾を解体した後の炸薬部のみや、化学剤を有しない爆弾等にも適用することができる。
【符号の説明】
【００７８】
１      爆破処理装置
１０    化学爆弾（被処理物）
１１    弾殻
１２    炸薬
１３    炸薬筒
１４    化学剤
２０    内側爆薬
３０    索状爆発体
３２    外筒
３４    外側爆薬
４０    容器
５０    電気雷管（起爆装置）
６０    発破母線
【図１】
2010236771.tif 000003
【図２】
2010236771.tif 000004
【図３】
2010236771.tif 000005
【図４】
2010236771.tif 000006
【図５】
2010236771.tif 000007
【図６】
2010236771.tif 000008